(57)【要約】      （修正有）【課題】異なる実用的な基準で評価した被相続人の財産状況及びキャッシュフローを一覧可能とし、相続人間での相続事案のシミュレーションを促進させる装置を提供する。【解決手段】相続シミュレーション装置は、被相続人の各相続財産についての詳細情報を記憶する。そして、相続シミュレーション装置は、記憶する上記詳細情報に基づいて、相続税評価の基準や時価評価等の異なる実用的な基準で評価した被相続人の財産情報を一覧表示させる。また、相続シミュレーション装置は、記憶する上記詳細情報に基づいて、被相続人の財産を保有することに伴う収支状況についても一覧表示させる。被相続人の財産情報及びこれを保有することに伴う収支状況は、財産情報全体で表示させることもでき、各相続予定者が相続予定の財産毎に表示させることもできる。【選択図】図２
2019101717.tif 000002
【特許請求の範囲】
【請求項１】
被相続人（予定者を含む）の資産及び負債に関する情報について、各前記資産及び負債の種類と、前記各資産及び負債を特定するための財産特定情報と、各前記資産及び負債を第１の評価基準で評価した第１の評価額と、各前記資産及び負債を第２の評価基準で評価した第２の評価額と、各前記資産及び負債を保有することによって生じる収入額又は支出額と、各前記資産及び負債を相続予定の相続人（予定者を含む）と、を対応付けて記憶する財産情報記憶手段と、
前記財産特定情報及び前記第１の評価額について、前記資産及び負債の種類に関し表上の記載順序を規定する所定の表示順序規則に従って、各前記資産に関し表左側において縦方向へ整列表示させ、各前記負債に関し表右側において縦方向へ整列表示させると共に、前記資産に関する前記第１の評価額の合計から前記負債に関する前記第１の評価額の合計を差し引いた金額について、表において前記負債の下位置に、純資産として表示させる第１表表示手段と、
前記財産特定情報及び前記第２の評価額について、前記所定の表示順序規則に従って、各前記資産に関し表左側において縦方向へ整列表示させ、各前記負債に関し表右側において縦方向へ整列表示させると共に、前記資産に関する前記第２の評価額の合計から前記負債に関する前記第２の評価額の合計を差し引いた金額について、表において前記負債の下位置に、純資産として表示させる第２表表示手段と、
保有することによって収入又は支出を生じさせる前記資産及び負債に関する前記財産特定情報並びに前記収入又は支出を生じさせる前記資産及び負債に起因する収入額又は支出額について、支出を生じさせる前記負債を表左側に縦方向へ整列表示させ、収入を生じさせる前記資産を表右側に縦方向へ整列表示させると共に、前記収入額の合計から前記支出額の合計を差し引いた金額について、表において前記負債の下位置に、純収入額として表示させる第３表表示手段と、を有する相続シミュレーション装置であって、
前記第１表表示手段、前記第２表表示手段及び前記第３表表示手段が、前記資産及び負債の全体並びに前記相続人毎に相続予定の前記資産及び負債を抽出して表示させることを特徴とする相続シミュレーション装置。
【請求項２】
前記第１表表示手段及び前記第２表表示手段が、表上表示する情報に関し、前記第１の評価額、前記第２の評価額及び前記純資産額の大きさに応じた表示領域を備えるように表示させることを特徴とする請求項１に記載の相続シミュレーション装置。
【請求項３】
前記第３表表示手段が、表上表示する情報に関し、前記収入額、前記支出額及び前記純収入額の大きさに応じた表示領域を備えるように表示させることを特徴とする請求項１又は２に記載の相続シミュレーション装置。
【請求項４】
前記被相続人の資産及び負債が、生前贈与が行われ、前記相続人へ贈与された前記資産及び負債を含むことを特徴とする請求項１乃至３の何れか一に記載の相続シミュレーション装置。
【請求項５】
前記所定の表示順序規則が、現金化の容易な順序で表の上から下へ並べる規則であることを特徴とする請求項１乃至４の何れか一に記載の相続シミュレーション装置。
【請求項６】
被相続人（予定者を含む）の資産及び負債に関する情報について、各前記資産及び負債の種類と、前記各資産及び負債を特定するための財産特定情報と、各前記資産及び負債を第１の評価基準で評価した第１の評価額と、各前記資産及び負債を第２の評価基準で評価した第２の評価額と、各前記資産及び負債を保有することによって生じる収入額又は支出額と、各前記資産及び負債を相続予定の相続人（予定者を含む）と、を対応付けて記憶する財産情報記憶手段を備える相続シミュレーション装置で行われる相続シミュレーション方法であって、
第１表表示手段が、前記財産特定情報及び前記第１の評価額について、前記資産及び負債の種類に関し表上の記載順序を規定する所定の表示順序規則に従って、各前記資産に関し表左側において縦方向へ整列表示させ、各前記負債に関し表右側において縦方向へ整列表示させると共に、前記資産に関する前記第１の評価額の合計から前記負債に関する前記第１の評価額の合計を差し引いた金額について、表において前記負債の下位置に、純資産として表示させるステップと、
第２表表示手段が、前記財産特定情報及び前記第２の評価額について、前記所定の表示順序規則に従って、各前記資産に関し表左側において縦方向へ整列表示させ、各前記負債に関し表右側において縦方向へ整列表示させると共に、前記資産に関する前記第２の評価額の合計から前記負債に関する前記第２の評価額の合計を差し引いた金額について、表において前記負債の下位置に、純資産として表示させるステップと、
第３表表示手段が、保有することによって収入又は支出を生じさせる前記資産及び負債に関する前記財産特定情報並びに前記収入又は支出を生じさせる前記資産及び負債に起因する収入額又は支出額について、支出を生じさせる前記負債を表左側に縦方向へ整列表示させ、収入を生じさせる前記資産を表右側に縦方向へ整列表示させると共に、前記収入額の合計から前記支出額の合計を差し引いた金額について、表において前記負債の下位置に、純収入額として表示させるステップと、を含み、
前記第１表表示手段、前記第２表表示手段及び前記第３表表示手段が、前記資産及び負債の全体並びに前記相続人毎に相続予定の前記資産及び負債を抽出して表示させることを特徴とする相続シミュレーション方法。
【請求項７】
前記第１表表示手段及び前記第２表表示手段が、表上表示する情報に関し、前記第１の評価額、前記第２の評価額及び前記純資産額の大きさに応じた表示領域を備えるように表示させることを特徴とする請求項６に記載の相続シミュレーション方法。
【請求項８】
前記第３表表示手段が、表上表示する情報に関し、前記収入額、前記支出額及び前記純収入額の大きさに応じた表示領域を備えるように表示させることを特徴とする請求項６又は７に記載の相続シミュレーション方法。
【請求項９】
前記被相続人の資産及び負債が、生前贈与が行われ、前記相続人へ贈与された前記資産及び負債を含むことを特徴とする請求項６乃至８の何れか一に記載の相続シミュレーション方法。
【請求項１０】
前記所定の表示順序規則が、現金化の容易な順序で表の上から下へ並べる規則であることを特徴とする請求項６乃至９の何れか一に記載の相続シミュレーション方法。
【請求項１１】
コンピュータに、請求項５乃至１０の何れか一に記載の相続シミュレーション方法を実行させるための相続シミュレーションプログラム。
【発明の詳細な説明】
【技術分野】
【０００１】
被相続人（予定者）の相続財産を相続人（予定者）に割り振るシミュレーションを行う技術に関する。
【背景技術】
【０００２】
相続とは、人が死亡した場合に、その者と一定の親族関係にある者が財産上の権利・義務を承継することである。相続事案が発生した後、又は、相続事案が想定される場合には、遺産分割を行う上で、相続人全員で遺産をどう分け合っていくかを決める遺産分割会議が行われる。
【０００３】
遺産分割会議では、各相続人（予定者含む）においてどの程度の相続税が発生するのかという納税準備の観点、相続人間での損得勘定を含む納得感のある財産分与を行うという観点で検討する必要がある。また、相続手続は、頻繁に経験するものではなく、相続人にとっては一般的に馴染みが薄く不慣れであり、各自の損得が把握し難いため、相続人間での話し合いが難航することもある。
【発明の概要】
【発明が解決しようとする課題】
【０００４】
そこで本発明では、上記問題点に鑑み、異なる実用的な基準で評価した被相続人の財産状況及びキャッシュフローを一覧可能とし、相続人間での相続事案のシミュレーションを促進させる相続シミュレーション装置を提供することを目的とする。
【課題を解決するための手段】
【０００５】
開示する相続シミュレーション装置の一形態は、被相続人（予定者を含む）の資産及び負債に関する情報について、各前記資産及び負債の種類と、前記各資産及び負債を特定するための財産特定情報と、各前記資産及び負債を第１の評価基準で評価した第１の評価額と、各前記資産及び負債を第２の評価基準で評価した第２の評価額と、各前記資産及び負債を保有することによって生じる収入額又は支出額と、各前記資産及び負債を相続予定の相続人（予定者を含む）と、を対応付けて記憶する財産情報記憶手段と、前記財産特定情報及び前記第１の評価額について、前記資産及び負債の種類に関し表上の記載順序を規定する所定の表示順序規則に従って、各前記資産に関し表左側において縦方向へ整列表示させ、各前記負債に関し表右側において縦方向へ整列表示させると共に、前記資産に関する前記第１の評価額の合計から前記負債に関する前記第１の評価額の合計を差し引いた金額について、表において前記負債の下位置に、純資産として表示させる第１表表示手段と、前記財産特定情報及び前記第２の評価額について、前記所定の表示順序規則に従って、各前記資産に関し表左側において縦方向へ整列表示させ、各前記負債に関し表右側において縦方向へ整列表示させると共に、前記資産に関する前記第２の評価額の合計から前記負債に関する前記第２の評価額の合計を差し引いた金額について、表において前記負債の下位置に、純資産として表示させる第２表表示手段と、保有することによって収入又は支出を生じさせる前記資産及び負債に関する前記財産特定情報並びに前記収入又は支出を生じさせる前記資産及び負債に起因する収入額又は支出額について、支出を生じさせる前記負債を表左側に縦方向へ整列表示させ、収入を生じさせる前記資産を表右側に縦方向へ整列表示させると共に、前記収入額の合計から前記支出額の合計を差し引いた金額について、表において前記負債の下位置に、純収入額として表示させる第３表表示手段と、を有する相続シミュレーション装置であって、前記第１表表示手段、前記第２表表示手段及び前記第３表表示手段が、前記資産及び負債の全体並びに前記相続人毎に相続予定の前記資産及び負債を抽出して表示させることを特徴とする。
【発明の効果】
【０００６】
開示する相続シミュレーション装置は、異なる実用的な基準で評価した被相続人の財産状況及びキャッシュフローを一覧可能とし、相続人間での相続事案のシミュレーションを促進させる。
【図面の簡単な説明】
【０００７】
【図１】本実施の形態に係る相続シミュレーション装置の概要を説明する図である。
【図２】本実施の形態に係る相続シミュレーション装置の機能ブロック図である。
【図３】本実施の形態に係る財産情報記憶手段の一例を示す図である。
【図４】本実施の形態に係る第１表表示手段による表示例を示す図である。
【図５】本実施の形態に係る第２表表示手段による表示例を示す図である。
【図６】本実施の形態に係る第３表表示手段による表示例を示す図である。
【図７】本実施の形態に係る第１表表示手段による表示例を示す図である。
【図８】本実施の形態に係る第２表表示手段による表示例を示す図である。
【図９】本実施の形態に係る第３表表示手段による表示例を示す図である。
【図１０】本実施の形態に係る第１表表示手段による表示例を示す図である。
【図１１】本実施の形態に係る相続シミュレーション装置のハードウエア構成例を示す図である。
【図１２】本実施の形態に係る相続シミュレーション装置による処理例の流れを示すフローチャートである。
【発明を実施するための形態】
【０００８】
図面を参照しながら、本発明を実施するための形態について説明する。
（本実施の形態に係る相続シミュレーション装置の動作原理）
【０００９】
図１を用いて、本実施の形態に係る相続シミュレーション装置（以下、単に「本装置」という。）１００の動作原理について説明する。図１は、本装置１００と他装置との関わり方を説明するための図であり、図２は、本装置１００の機能ブロック図である。
【００１０】
図１で示すように、本装置１００は、通信ネットワーク３３０を介して、ユーザー（相続に関するアドバイザーや相続予定者３２０等が想定される）が操作するユーザー端末と接続される。本装置１００は、被相続人（予定者含む）３００の相続財産についての詳細情報を記憶し、記憶する詳細情報に基づいて、相続税評価や時価等の異なる実用的な基準で評価した被相続人３００の財産情報を一覧表示させる。
【００１１】
また、本装置１００は、上記詳細情報に基づいて、被相続人３００の財産を保有することに伴う収支状況についても一覧表示させる。被相続人３００の財産情報及びこれを保有することに伴う収支情報は、相続財産全体での表示も可能であり、相続予定者３２０が相続予定の財産単位での表示も可能である。なお、通信ネットワーク３３０は、有線・無線何れでも良い。
図２で示すように、本装置１００は、財産情報記憶手段１１０、第１表表示手段１２０、第２表表示手段１３０、第３表表示手段１４０を有する。
【００１２】
財産情報記憶手段１１０は、被相続人３００の資産及び負債（相続財産）３１０に関する情報について、各資産及び負債の種類２１０と、各資産及び負債を特定するための財産特定情報２２０と、各資産及び負債を第１の評価基準２３０で評価した第１の評価額２４０と、各資産及び負債を第２の評価基準２５０で評価した第２の評価額２６０と、各資産及び負債を保有することによって生じる収入額２７０又は支出額２８０と、各資産及び負債の相続予定者（相続人）３２０と、を対応付けて記憶する。
【００１３】
図３で示すように、資産及び負債の種類２１０とは、現預金（大分類、以下同様）・現金（中分類、以下同様）、現預金・預金、有価証券・株式、有価証券・国債、有価証券・投資信託、不動産・土地、不動産・建物、知的財産権・著作権、知的財産権・特許権、保険・生命保険、入院費用、租税公課（相続税額を含む）、葬式費用、借入金・アパートローンなど、相続財産の種類・性質を特定（区別）するための情報である。
【００１４】
図３で示すように、財産特定情報２２０とは、資産及び負債の種類２１０が現預金・預金である場合、預金口座のある銀行名・支店名・当座預金／普通預金の別、口座番号等の情報であり、資産及び負債の種類２１０が株式である場合、株式発行体の名称等の情報であるように、対象の資産又は負債の詳細を特定するための情報である。財産特定情報２２０は、備考情報を含んでも良く、財産特定情報２２０の内容は限定されない。
【００１５】
第１の評価基準２３０とは、相続事案の検討を行う場面において実用的な財産の評価基準であり、例えば、相続税評価の基準等が想定される。相続税額の試算をする場合に有効である。
【００１６】
第２の評価基準２５０とは、第１の評価基準２３０とは異なる評価基準であり、かつ、相続事案の検討を行う場面において実用的な財産の評価基準であり、例えば、時価による評価基準、公示価格による評価基準、市場取引可能価格による評価基準等が想定される。相続人３２０間の損得勘定を考慮して遺産分割のシミュレーションを行う場合に有効である。
【００１７】
図３で示すように、相続人３２０とは、例えば、被相続人３００の妻、子等であり、被相続人３００、相続人３２０はそれぞれ、将来被相続人３００、相続人３２０と成り得る予定者を含む概念である。
【００１８】
図３で示すように、被相続人３００の資産及び負債（相続財産）３１０には、相続人３２０へ生前贈与された資産及び負債が含まれる形態であっても良く、財産情報記憶手段１１０においては、生前贈与された資産又は負債と、生前贈与されたことを示す識別情報と、が対応付けて記憶される形態であっても良い。
【００１９】
なお、図３において、収入額２７０は正の数字で表され、支出額２８０は負の数字で表されているが、収入額２７０・支出額２８０それぞれに対し別々に欄を設け、双方とも正の数字で表す形態としても良い。
【００２０】
第１表表示手段１２０は、対応付けて記憶される資産及び負債の種類２１０、財産特定情報２２０並びに第１の評価額２４０について、資産及び負債の種類２１０に関し表上の記載順序を規定する所定の表示順序規則２９０に従って、各資産に関し表左側（借方側）において縦方向へ整列表示させ、各負債に関し表右側（貸方側）において縦方向へ整列表示させると共に、資産に関する第１の評価額２４０の合計から負債に関する第１の評価額２４０の合計を差し引いた金額について、表において負債の下位置に、純資産として表示させる。純資産額がマイナスになる場合、表において資産の下位置に表示させる形態としても良い。
【００２１】
なお、第１表表示手段１２０は、本装置１００が備える表示装置４７０上に第１表を表示させる形態であっても良いし、通信ネットワーク３３０によって接続されるユーザー端末が備える表示装置上に第１表を表示させる形態であっても良い。
【００２２】
所定の表示順序規則２９０とは、資産又は負債の種類２１０毎に表上における記載位置・記載順序を規定するものであるが、例えば、資産に関して言えば、表の左側に現金化の容易な順序で記載していくというものであるが、これとは異なる規則であっても良い。所定の表示順序規則２９０は、貸借対照表における資産又は負債の表上における記載位置・記載順序を規定する規則と似た概念である。これによって、相続当事者による相続財産の状況・性質の理解を助けることができる。
【００２３】
図３において表示順序規則２９０は、“資産”として割り振られた情報を表の左側に記載し、“負債”として割り振られた情報を表の右側に記載すると共に、“記載の順序”として割り振られた数字が小さい順に上から記載する規則を示している。
【００２４】
図４で示すように、第１表表示手段１２０は、財産情報記憶手段１１０が図３で示すような情報を記憶している場合、表左側に、（保険、生命保険、ＸＸ生命  証券番号？？？？？？、７，５００，０００円）、（現預金、現金、自宅保管、１，０００，０００円）、…、（知的財産権、特許権、特許第○○○○○○○号、２，０００，０００円）などと整列表示させる。また、第１表表示手段１２０は、表右側に、（入院費用、ブランク、５月分入院費、２００，０００円）、（租税公課、ブランク、住民税、５００，０００円）、…、（借入金、アパートローン、○○銀行△△支店  普通ｘｘｘｘｘｘｘ、６，０００，０００円）などと整列表示させる。
【００２５】
また、図４で示すように、第１表表示手段１２０は、表右側の負債の下位置に、資産に関する第１の評価額２４０の合計：９７，５００，０００円から負債に関する第１の評価額２４０の合計：９，７００，０００円を差し引いた金額：８７，８００，０００円について純資産として表示させる。
【００２６】
第２表表示手段１３０は、対応付けて記憶される資産及び負債の種類２１０、財産特定情報２２０並びに第２の評価額２６０について、所定の表示順序規則２９０に従って、各資産に関し表左側（借方側）において縦方向へ整列表示させ、各負債に関し表右側（貸方側）において縦方向へ整列表示させると共に、資産に関する第２の評価額２６０の合計から負債に関する第２の評価額２６０の合計を差し引いた金額について、表において負債の下位置に、純資産として表示させる。純資産額がマイナスになる場合、表において資産の下位置に表示させる形態としても良い。
【００２７】
なお、第２表表示手段１３０は、本装置１００が備える表示装置４７０上に第２表を表示させる形態であっても良いし、通信ネットワーク３３０によって接続されるユーザー端末が備える表示装置上に第２表を表示させる形態であっても良い。
【００２８】
図５で示すように、第２表表示手段１３０は、財産情報記憶手段１１０が図３で示すような情報を記憶している場合、表左側に、…、（有価証券、株式、Ａ株式会社、１２，０００，０００円）、（有価証券、国債、第○回国債、５，０００，０００円）、（有価証券、投資信託、Ｂ投信  グローバルインデックス、３，５００，０００円）、…などと整列表示させる。また、第２表表示手段１３０は、表右側に、（入院費用、ブランク、５月分入院費、２００，０００円）、（租税公課、ブランク、住民税、５００，０００円）、…、（借入金、アパートローン、○○銀行△△支店  普通ｘｘｘｘｘｘｘ、６，０００，０００円）などと整列表示させる。なお、第１の評価額２４０（第１表）と第２の評価額２６０（第２表）とでは、有価証券、不動産に関する評価額が相違する。
【００２９】
また、図５で示すように、第２表表示手段１３０は、表右側の負債の下位置に、資産に関する第２の評価額２６０の合計：１１７，０００，０００円から負債に関する第２の評価額２６０の合計：９，７００，０００円を差し引いた金額：１０７，３００，０００円について純資産として表示させる。
【００３０】
第３表表示手段１４０は、対応付けて記憶され、保有することによって収入又は支出を生じさせる資産及び負債の種類２１０、財産特定情報２２０並びにこれら資産及び負債に起因する収入額２７０又は支出額２８０について、支出を生じさせる負債を表左側（借方側）に縦方向へ整列表示させ、収入を生じさせる資産を表右側（貸方側）に縦方向へ整列表示させると共に、収入額２７０の合計から支出額２８０の合計を差し引いた金額について、表において負債の下位置に、純収入額として表示させる。純収入額がマイナスになる場合、表において資産の下位置に表示させる形態としても良い。
【００３１】
なお、第３表表示手段１４０は、本装置１００が備える表示装置４７０上に第３表を表示させる形態であっても良いし、通信ネットワーク３３０によって接続されるユーザー端末が備える表示装置上に第３表を表示させる形態であっても良い。
【００３２】
図６で示すように、第３表表示手段１４０は、財産情報記憶手段１１０が図３で示すような情報を記憶している場合、表左側に、…、（不動産、土地、川崎市宮前区○○、２００，０００円）、（借入金、アパートローン、○○銀行△△支店  普通ｘｘｘｘｘｘｘ、１，１２０，０００円）などと整列表示させる。また、第３表表示手段１４０は、表右側に、（有価証券、株式、Ａ株式会社、３６０，０００円）、（有価証券、国債、第○回国債、１５，０００円）、…、（不動産、建物、川崎市宮前区○○、３，０００，０００円）などと整列表示させる。
【００３３】
また、図６で示すように、第３表表示手段１４０は、表左側の負債の下位置に、資産に関する収入額２７０の合計：３，４８０，０００円から負債に関する支出額２８０の合計：１，３２０，０００円を差し引いた金額：２，１６０，０００円について純収入額として表示させる。
第１表表示手段１２０、第２表表示手段１３０及び第３表表示手段１４０は、相続人（相続予定者）３２０毎に相続予定の資産及び負債を抽出して表示させる形態であっても良い。
【００３４】
図７で示すように、第１表表示手段１２０は、例えば、相続人予定者３２０：子１が相続予定の資産及び負債３１０、財産特定情報２２０及び第１の評価額２４０について、所定の表示順序規則２９０に従って、各資産に関し表左側において縦方向へ整列表示させ、各負債に関し表右側において縦方向へ整列表示させると共に、資産に関する第１の評価額２４０の合計から負債に関する第１の評価額２４０の合計を差し引いた金額について、表において負債の下位置に、純資産として表示させる。
【００３５】
図８で示すように、第２表表示手段１３０は、例えば、相続人予定者３２０：子１が相続予定の資産及び負債３１０、財産特定情報２２０及び第２の評価額２６０について、所定の表示順序規則２９０に従って、各資産に関し表左側において縦方向へ整列表示させ、各負債に関し表右側において縦方向へ整列表示させると共に、資産に関する第２の評価額２６０の合計から負債に関する第２の評価額２６０の合計を差し引いた金額について、表において負債の下位置に、純資産として表示させる。
【００３６】
図９で示すように、第３表表示手段１４０は、例えば、相続人予定者３２０：子１が相続予定のものであって、保有に伴い収入又は支出を生じさせる資産及び負債３１０、財産特定情報２２０並びにこれら資産及び負債に起因する収入額２７０又は支出額２８０について、支出を生じさせる負債を表左側に縦方向へ整列表示させ、収入を生じさせる資産を表右側に縦方向へ整列表示させると共に、収入額２７０の合計から支出額２８０の合計を差し引いた金額について、表において負債の下位置に、純収入額として表示させる。
【００３７】
第１表表示手段１２０、第２表表示手段１３０は、表上表示する情報に関し、第１の評価額２４０、第２の評価額２６０及び純資産額（純負債額）の大きさに応じた表示領域を備えるように表示を行う形態としても良い。
【００３８】
図１０で示すように、第１表表示手段１２０は、第１表を表示させるが、図１０は図４で表示させた情報と同じ情報を表示させるものであり、第１の評価額２４０及び純資産額の大きさに応じた表示領域（一行の高さ・幅）を変更させた図である。
【００３９】
第３表表示手段１４０も、第１表表示手段１２０及び第２表表示手段１３０と同様に、収入額２７０、支出額２８０及び純収入額の大きさに応じた表示領域を備えるように表示を行う形態としても良い。
【００４０】
第１表表示手段１２０、第２表表示手段１３０及び第３表表示手段１４０は、上記のような構成を備えることによって、相続財産の大きさ及び相続財産の保有に伴う収支の大きさの直感的な理解を促進させ、相続人３２０間における遺産分割の協議をよりスムーズに進めさせることができる。
【００４１】
以上説明したような情報処理を行うことによって、本装置１００は、異なる実用的な基準で評価した被相続人３００の財産状況及びキャッシュフローを一覧可能とし、相続人３２０間での相続事案のシミュレーションを促進させる。
（本実施の形態に係る相続シミュレーション装置のハードウエア構成）
【００４２】
図１１を用いて、本装置１００のハードウエア構成例について説明する。図１１は、本装置１００のハードウエア構成の一例を示す図である。図１１で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、表示装置４７０、記憶媒体Ｉ／Ｆ４８０を有する。
【００４３】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００４４】
補助記憶装置４４０は、基本ソフトウエアであるＯＳ（Operating System）や本実施の形態に係るアプリケーションプログラムなどを、関連するデータとともに記憶する装置である。補助記憶装置４４０は、財産情報記憶手段１１０を含み、例えば、ＨＤＤ（Hard Disc Drive）やフラッシュメモリなどである。
【００４５】
通信Ｉ／Ｆ４５０は、有線・無線ＬＡＮ（Local Area Network）、インターネットなどの通信ネットワーク３３０に接続し、通信機能を提供する他装置とデータの授受を行うためのインターフェースである。
【００４６】
入力装置４６０は、タッチパネルなど本装置１００にデータ入力を行うための装置である。出力装置４７０は、ＬＣＤ（Liquid Crystal Display）等で構成される装置であり、本装置１００が有する機能をユーザーが利用する際や各種設定を行う際のユーザーインターフェースとして機能する装置である。
記憶媒体Ｉ／Ｆ４８０は、ＣＤ−ＲＯＭ、ＤＶＤ−ＲＯＭ、ＵＳＢメモリなどの記憶媒体４９０とデータの送受信を行うためのインターフェースである。
【００４７】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記憶媒体Ｉ／Ｆ４８０を介して記憶媒体４９０から本発明に係るプログラムを読み込ませたりして、本装置１００に当該プログラムを実行させる形態としても良い。
（本実施の形態に係る相続シミュレーション装置による処理例）
図１２を用いて、本装置１００による処理例について説明する。図１２は、本装置１００による処理の一例の流れを示すフローチャートである。
【００４８】
Ｓ１０で本装置１００が、ユーザーから財産情報記憶手段１１０に対し登録させるべき情報を受け付ける。そして、Ｓ１０で本装置１００が、財産情報記憶手段１１０に対し、受け付けた被相続人３００の相続財産３１０に関する情報について、各資産及び負債の種類２１０と、各資産及び負債の財産特定情報２２０と、各資産及び負債の第１の評価額２４０と、各資産及び負債の第２の評価額２６０と、各資産及び負債の保有に伴う収入額２７０又は支出額２８０と、各資産及び負債の相続予定者３２０と、を対応付けて記憶させる。Ｓ１０における処理に基づいて、財産情報記憶手段１１０は、例えば、図３で示すような情報を記憶する。
【００４９】
Ｓ２０で本装置１００が、第１表表示手段１２０、第２表表示手段１３０又は第３表表示手段１４０によって表示させる相続財産に関する情報の条件について、ユーザーから受け付ける。
【００５０】
Ｓ２０において“第１表（第１の評価基準２３０による相続財産の状況を示す表）”を表示させる旨の要求を受け付けた場合、本装置１００による処理はＳ４０に移行する。
【００５１】
Ｓ２０において“第２表（第２の評価基準２５０による相続財産の状況を示す表）”を表示させる旨の要求を受け付けた場合、本装置１００による処理はＳ５０に移行する。
Ｓ２０において“第３表（相続財産の保有に伴う収支状況を示す表）”を表示させる旨の要求を受け付けた場合、本装置１００による処理はＳ６０に移行する。
【００５２】
Ｓ４０で第１表表示手段１２０が、対応付けて記憶される資産及び負債の種類２１０、財産特定情報２２０並びに第１の評価額２４０について、所定の表示順序規則２９０に従って、各資産に関し表左側において縦方向へ整列表示させ、各負債に関し表右側において縦方向へ整列表示させると共に、資産に関する第１の評価額２４０の合計から負債に関する第１の評価額２４０の合計を差し引いた金額について、表において負債の下位置に、純資産として表示させる。純資産額がマイナスになる場合、表において資産の下位置に表示させる形態としても良い。
【００５３】
図４で示すように、Ｓ４０において第１表表示手段１２０は、財産情報記憶手段１１０が図３で示すような情報を記憶している場合、表左側に、（保険、生命保険、ＸＸ生命  証券番号？？？？？？、７，５００，０００円）、（現預金、現金、自宅保管、１，０００，０００円）、…、（知的財産権、特許権、特許第○○○○○○○号、２，０００，０００円）などと整列表示させる。また、第１表表示手段１２０は、表右側に、（入院費用、ブランク、５月分入院費、２００，０００円）、（租税公課、ブランク、住民税、５００，０００円）、…、（借入金、アパートローン、○○銀行△△支店  普通ｘｘｘｘｘｘｘ、６，０００，０００円）などと整列表示させる。
【００５４】
また、図４で示すように、Ｓ４０において第１表表示手段１２０は、表右側の負債の下位置に、資産に関する第１の評価額２４０の合計：９７，５００，０００円から負債に関する第１の評価額２４０の合計：９，７００，０００円を差し引いた金額：８７，８００，０００円について純資産として表示させる。
【００５５】
Ｓ５０で第２表表示手段１３０が、対応付けて記憶される資産及び負債の種類２１０、財産特定情報２２０並びに第２の評価額２６０について、所定の表示順序規則２９０に従って、各資産に関し表左側において縦方向へ整列表示させ、各負債に関し表右側において縦方向へ整列表示させると共に、資産に関する第２の評価額２６０の合計から負債に関する第２の評価額２６０の合計を差し引いた金額について、表において負債の下位置に、純資産として表示させる。純資産額がマイナスになる場合、表において資産の下位置に表示させる形態としても良い。
【００５６】
図５で示すように、Ｓ５０において第２表表示手段１３０は、財産情報記憶手段１１０が図３で示すような情報を記憶している場合、表左側に、…、（有価証券、株式、Ａ株式会社、１２，０００，０００円）、（有価証券、国債、第○回国債、５，０００，０００円）、（有価証券、投資信託、Ｂ投信  グローバルインデックス、３，５００，０００円）、…などと整列表示させる。また、第２表表示手段１３０は、表右側に、（入院費用、ブランク、５月分入院費、２００，０００円）、（租税公課、ブランク、住民税、５００，０００円）、…、（借入金、アパートローン、○○銀行△△支店  普通ｘｘｘｘｘｘｘ、６，０００，０００円）などと整列表示させる。なお、第１の評価額２４０（第１表）と第２の評価額２６０（第２表）とでは、有価証券、不動産に関する評価額が相違する。
【００５７】
また、図５で示すように、Ｓ５０において第２表表示手段１３０は、表右側の負債の下位置に、資産に関する第２の評価額２６０の合計：１１７，０００，０００円から負債に関する第２の評価額２６０の合計：９，７００，０００円を差し引いた金額：１０７，３００，０００円について純資産として表示させる。
【００５８】
Ｓ６０で第３表表示手段１４０が、対応付けて記憶され、保有に伴い収入又は支出を生じさせる資産及び負債の種類２１０、財産特定情報２２０並びにこれら資産及び負債に起因する収入額２７０又は支出額２８０について、支出を生じさせる負債を表左側に縦方向へ整列表示させ、収入を生じさせる資産を表右側に縦方向へ整列表示させると共に、収入額２７０の合計から支出額２８０の合計を差し引いた金額について、表において負債の下位置に、純収入額として表示させる。純収入額がマイナスになる場合、表において資産の下位置に表示させる形態としても良い。
【００５９】
図６で示すように、Ｓ６０において第３表表示手段１４０は、財産情報記憶手段１１０が図３で示すような情報を記憶している場合、表左側に、…、（不動産、土地、川崎市宮前区○○、２００，０００円）、（借入金、アパートローン、○○銀行△△支店  普通ｘｘｘｘｘｘｘ、１，１２０，０００円）などと整列表示させる。また、第３表表示手段１４０は、表右側に、（有価証券、株式、Ａ株式会社、３６０，０００円）、（有価証券、国債、第○回国債、１５，０００円）、…、（不動産、建物、川崎市宮前区○○、３，０００，０００円）などと整列表示させる。
【００６０】
また、図６で示すように、Ｓ６０において第３表表示手段１４０は、表左側の負債の下位置に、資産に関する収入額２７０の合計：３，４８０，０００円から負債に関する支出額２８０の合計：１，３２０，０００円を差し引いた金額：２，１６０，０００円について純収入額として表示させる。
【００６１】
Ｓ２０において本装置１００が、特定の相続人（相続予定者）３２０が相続予定の資産及び負債を抽出して表示させる要求を受け付けた場合、第１表表示手段１２０、第２表表示手段１３０及び第３表表示手段１４０は、その要求に応じ、指定の相続人（相続予定者）３２０が相続予定の資産及び負債を抽出して表示させる。
【００６２】
図７で示すように、Ｓ４０において第１表表示手段１２０は、例えば、相続人予定者３２０：子１が相続予定の資産及び負債３１０、財産特定情報２２０及び第１の評価額２４０について、所定の表示順序規則２９０に従って、各資産に関し表左側において縦方向へ整列表示させ、各負債に関し表右側において縦方向へ整列表示させると共に、資産に関する第１の評価額２４０の合計から負債に関する第１の評価額２４０の合計を差し引いた金額について、表において負債の下位置に、純資産として表示させる。
【００６３】
図８で示すように、Ｓ５０において第２表表示手段１３０は、例えば、相続人予定者３２０：子１が相続予定の資産及び負債３１０、財産特定情報２２０及び第２の評価額２６０について、所定の表示順序規則２９０に従って、各資産に関し表左側において縦方向へ整列表示させ、各負債に関し表右側において縦方向へ整列表示させると共に、資産に関する第２の評価額２４０の合計から負債に関する第２の評価額２４０の合計を差し引いた金額について、表において負債の下位置に、純資産として表示させる。
【００６４】
図９で示すように、Ｓ６０において第３表表示手段１４０は、例えば、相続人予定者３２０：子１が相続予定のものであって、保有に伴い収入又は支出を生じさせる資産及び負債３１０、財産特定情報２２０並びにこれら資産及び負債に起因する収入額２７０又は支出額２８０について、支出を生じさせる負債を表左側に縦方向へ整列表示させ、収入を生じさせる資産を表右側に縦方向へ整列表示させると共に、収入額２７０の合計から支出額２８０の合計を差し引いた金額について、表において負債の下位置に、純収入額として表示させる。
【００６５】
Ｓ４０又はＳ５０において第１表表示手段１２０、第２表表示手段１３０は、表上表示する情報に関し、第１の評価額２４０、第２の評価額２６０及び純資産額（純負債額）の大きさに応じた表示領域を備えるように表示を行う形態としても良い。
【００６６】
図１０で示すように、第１表表示手段１２０は、第１表を表示させるが、図１０は図４で表示させた情報と同じ情報を表示させるものであり、第１の評価額２４０及び純資産額の大きさに応じた表示領域（一行の高さ・幅）を変更させた図である。
【００６７】
Ｓ６０において第３表表示手段１４０も、第１表表示手段１２０及び第２表表示手段１３０と同様に、収入額２７０、支出額２８０及び純収入額の大きさに応じた表示領域を備えるように表示を行う形態としても良い。
【００６８】
第１表表示手段１２０、第２表表示手段１３０及び第３表表示手段１４０は、上記のような構成を備えることによって、相続財産の大きさ及び相続財産の保有に伴う収支の大きさの直感的な理解を促進させ、相続人３２０間における遺産分割の協議をよりスムーズに進めさせることができる。
【００６９】
Ｓ７０において本装置１００が、ユーザーから第１表、第２表又は第３表に関する再表示の要求を受け付けた場合（Ｓ７０でＹｅｓ）、処理はＳ２０へ移行する。Ｓ７０において本装置１００が、ユーザーから第１表、第２表又は第３表に関する再表示の要求を受け付けない場合（Ｓ７０でＮｏ）、本装置１００による処理は終了する。
【００７０】
上記のような情報処理を行うことによって、本装置１００は、異なる実用的な基準で評価した被相続人３００の財産及びキャッシュフローを一覧可能とし、相続人３２０間での相続事案のシミュレーションを促進させる。
【００７１】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００７２】
１００  相続シミュレーション装置
１１０  財産情報記憶手段
１２０  第１表表示手段
１３０  第２表表示手段
１４０  第３表表示手段
２１０  資産及び負債の種類
２２０  財産特定情報
２３０  第１の評価基準
２４０  第１の評価額
２５０  第２の評価基準
２６０  第２の評価額
２７０  資産を保有することに伴う収入額
２８０  負債を保有することに伴う支出額
２９０  表示順序規則
３００  被相続人
３１０  被相続人の資産及び負債
３２０  相続人
３３０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記憶媒体インターフェース
４９０  記憶媒体
【図１】
2019101717.tif 000003
【図２】
2019101717.tif 000004
【図３】
2019101717.tif 000005
【図４】
2019101717.tif 000006
【図５】
2019101717.tif 000007
【図６】
2019101717.tif 000008
【図７】
2019101717.tif 000009
【図８】
2019101717.tif 000010
【図９】
2019101717.tif 000011
【図１０】
2019101717.tif 000012
【図１１】
2019101717.tif 000013
【図１２】
2019101717.tif 000014